(57)【要約】      【課題】  蓄光材から成る部材を光源として用いた場合であっても、手技を良好に実施する為に必要な輝度を有した映像を観察することができる。      【解決手段】  内視鏡システムに、体腔内を観察する為の内視鏡と、該体腔内を照明する第１の光源と、該第１の光源から照射された照射光を受光してエネルギーとして蓄え、該エネルギーに基づいて生成される電磁波によって該体腔内を照射する第２の光源と、該第２の光源のみを発光させているときに当該第２の光源の光量を検出する光量検出手段と、検出された光量が所定の閾値より低いか否かを判定する光量判定手段とを設ける。【選択図】      図５
2006014924.tif 000002
【特許請求の範囲】
【請求項１】
体腔内を観察する為の内視鏡と、
該体腔内を照明する第１の光源と、
該第１の光源から照射された照射光を受光してエネルギーとして蓄え、該エネルギーに基づいて生成される電磁波によって該体腔内を照射する第２の光源と、
該第２の光源のみを発光させているときに当該第２の光源の光量を検出する光量検出手段と、
検出された光量が所定の閾値より低いか否かを判定する光量判定手段と、を備えたこと、を特徴とする内視鏡システム。
【請求項２】
検出された光量が前記所定の閾値より低いと判定されたときにそれを報知する報知手段をさらに備えたこと、を特徴とする請求項１に記載の内視鏡システム。
【請求項３】
検出された光量が前記所定の閾値より低いと判定されたとき、前記第１の光源を再発光させること、を特徴とする請求項１または請求項２のいずれかに記載の内視鏡システム。
【請求項４】
体腔内の観察像を撮像して電気信号に変換する撮像手段をさらに備え、
検出された光量が前記所定の閾値より低いと判定されたとき、変換された電気信号の増幅率を大きくさせること、を特徴とする請求項１から請求項３のいずれかに記載の内視鏡システム。
【請求項５】
前記第２の光源は、受光によって蓄積したエネルギーを電磁波として放射する蓄光材から成る部材であること、を特徴とする請求項１から請求項４のいずれかに記載の内視鏡システム。
【請求項６】
前記内視鏡はその先端面に前記照明光を射出する配光レンズを有しており、
該配光レンズは前記蓄光材によって形成されていること、を特徴とする請求項５に記載の内視鏡システム。
【請求項７】
前記内視鏡の先端面は、前記蓄光材によって形成されていること、を特徴とする請求項５または請求項６のいずれかに記載の内視鏡システム。
【請求項８】
前記第１の光源及び前記第２の光源が共に白色光を発光すること、を特徴とする請求項５から請求項７のいずれかに記載の内視鏡システム。
【発明の詳細な説明】
【技術分野】
【０００１】
この発明は、体腔内を観察する為の内視鏡システムに関する。
【背景技術】
【０００２】
体腔内を観察する為の内視鏡システムは、一般に、体腔内に挿入される内視鏡と該体腔内を照明する光源装置を備えている。このような光源装置の光源には、例えばメタルハライドランプやキセノンランプまたはハロゲンランプ等が用いられている（例えば特許文献１）。
【特許文献１】特開２００１−３２１３３８号公報
【発明の開示】
【発明が解決しようとする課題】
【０００３】
ここで、体腔内を観察するときに先に列挙したランプを継続して点灯させて当該体腔内を照明した場合、光源装置内部の温度はランプの発熱によって上昇してしまう。この為、当該装置内部に冷却手段を設置する必要がある。しかしながら冷却手段を設置すると、装置の大型化や構成の複雑化を余儀なくされる。
【０００４】
そこで、照射光を受光することによって光エネルギーを蓄積してそれを電磁波として放射する蓄光材から成る部材を、上記ランプの代用光源とする光源装置が考えられる。このような光源装置を用いた場合、蓄光材から成る部材が発光している期間中は上記ランプを消灯させても体腔内が照明されている。この為、当該ランプによる装置内部の温度上昇が抑えられ、冷却手段を設置する必要性がなくなる。
【０００５】
しかしながら人間の目は光量変化を認識する能力が比較的鈍い為、発光時間に反比例した蓄光材の光量低下を的確に判断できないという問題がある。この為、蓄光材から成る部材を光源として用いた場合に、術者が、内視鏡による手技を良好に実施する為に必要な輝度を有した映像を観察できない可能性がある。
【０００６】
そこで、本発明は上記の事情に鑑み、蓄光材から成る部材を光源として用いた場合であっても、内視鏡による手技を良好に実施する為に必要な輝度を有した映像を観察することができる内視鏡システムを提供することを目的とする。
【課題を解決するための手段】
【０００７】
上記の課題を解決する本発明の一態様に係る内視鏡システムは、体腔内を観察する為の内視鏡と、該体腔内を照明する第１の光源と、該第１の光源から照射された照射光を受光してエネルギーとして蓄え、該エネルギーに基づいて生成される電磁波によって該体腔内を照射する第２の光源と、該第２の光源のみを発光させているときに当該第２の光源の光量を検出する光量検出手段と、検出された光量が所定の閾値より低いか否かを判定する光量判定手段とを備えたものである。
【０００８】
また、上記内視鏡システムは、検出された光量が所定の閾値より低いと判定されたときにそれを報知する報知手段をさらに備えたものであっても良い。
【０００９】
また、上記内視鏡システムは、検出された光量が所定の閾値より低いと判定されたとき、第１の光源を再発光させることができる。
【００１０】
また、上記内視鏡システムは、体腔内の観察像を撮像して電気信号に変換する撮像手段をさらに備えたものであっても良く、この場合、検出された光量が所定の閾値より低いと判定されたとき、変換された電気信号の増幅率を大きくさせることができる。
【００１１】
また、上記内視鏡システムにおいて、第２の光源は、受光によって蓄積したエネルギーを電磁波として放射する蓄光材から成る部材であっても良い。
【００１２】
また、上記内視鏡システムにおいて、内視鏡は、その先端面に照明光を射出する配光レンズを有したものであって良い。第２の光源が蓄光材から成る部材である場合、この配光レンズや内視鏡の先端面が蓄光材によって形成されていても良い。
【００１３】
また、上記内視鏡システムでは、第１の光源及び第２の光源が共に白色光を発光することが想定される。
【発明の効果】
【００１４】
本発明の内視鏡システムでは、例えば蓄光材から成る第２の光源の光量を監視している為、内視鏡による手技を良好に実施する為に必要な輝度を有した映像を観察することができる。
【発明を実施するための最良の形態】
【００１５】
以下、図面を参照して、本発明の実施形態の内視鏡システム１００について説明する。
【００１６】
図１は、本発明の実施形態の内視鏡システム１００を概略的に示した概略図である。本実施形態の内視鏡システム１００は、その先端部６に後述の固体撮像素子を備えた電子内視鏡（電子スコープ）１と、該電子内視鏡１と接続されたプロセッサ２と、該プロセッサ２と接続されたモニタ１２から構成されている。プロセッサ２には、体腔内を照明する為の光源であるランプ３と、ランプ３の前面に設置された集光レンズ４とを備えた光源部が設けられている。電子内視鏡１には光ファイバ束であるライトガイド５が先端部６まで挿通され、ライトガイド５とプロセッサ２の光源部とは、光学的に接続されている。また、電子内視鏡１側の電気回路（不図示）とプロセッサ２側の電気回路（不図示）とは、複数の信号線を有した信号ケーブル１１によって電気的に接続されている。このプロセッサ２は、大別して、体腔内を観察する為に当該体腔内を照明する照明機能と、電子内視鏡１で生成された画像信号に所定の処理を施してモニタ表示可能な映像信号に変換する信号処理機能を備えている。なお、本実施形態の内視鏡システム１００では、プロセッサ２に備えられた光源、又は電子内視鏡１に備えられた光源のいずれかを用いて体腔内を照明することができる。
【００１７】
図２は、本発明の実施形態の内視鏡システム１００の構成を示したブロック図である。図２を参照して、先ず、プロセッサ２に備えられた光源を用いて体腔内を観察する際の各部の構成及び作用について説明する。
【００１８】
プロセッサ２には、前述の光源部に加えて、ランプ３を発光制御するランプ制御回路２０と、当該プロセッサ２全体の処理を統括的に行う制御部３２と、ユーザが各種操作を行う為の操作パネル５１が備えられている。なお、ここでいうランプ３には、例えばメタルハライドランプや、キセノンランプ、ハロゲンランプ等が想定される。
【００１９】
操作パネル５１に設けられたランプ３をオン／オフさせる点灯／消灯スイッチ（不図示）が操作されてオンされると、制御部３２に当該スイッチオンを示した信号が入力する。制御部３２は、この入力信号に基づいてランプ制御回路２０に制御信号を送信する。ランプ制御回路２０はこの制御信号に基づいてランプ３を発光制御し、ランプ３は点灯する。ランプ３が照射する光束は、白色光であり、集光レンズ４によってライトガイド５のプロセッサ側の端部近傍に集光され、当該ライトガイド５に入射し、その内部を先端部６に向かって伝送される。
【００２０】
図３は、電子内視鏡１の先端部６近傍を拡大して示した拡大図である。また、図４は、当該先端部６近傍の長手方向に沿った断面であって、図３のＡ−Ａ断面を示した側断面図である。先端部６の前面には、体腔内を観察する為の対物系である対物レンズ７と、ライトガイド５端部前方に配置された配光レンズ８と、医療処置を施す処置具類が挿通されるカンシ（鉗子）路の開口部であるカンシ口９とが設けられている。また、先端部６内部には、受光した光学像を光電変換して画像信号を生成する固体撮像素子１０、及び固体撮像素子１０前方に配置されたカラーフィルタ１６が備えられている。この固体撮像素子１０は、整列して配置された複数の受光素子を有したチップであり、例えばＣＣＤ（Charge Coupled Device）である（以下、固体撮像素子１０をＣＣＤ１０と称する）。
【００２１】
ライトガイド５によって伝送されたランプ３の白色光は、先端部６の出射端側で分岐されたライトガイド５を介してそれぞれの配光レンズ８に到達して観察部位を照明する。照明された観察部位からの反射光は、対物レンズ７に入射し、当該対物レンズ７のパワーによってＣＣＤ１０の受光面上に観察部位の光学像として結像される。なお、このときのＣＣＤ１０の受光量は、電子シャッタによる露光動作のタイミングによって適正な量に調整される。
【００２２】
なお、本実施形態のライトガイド５は、上述したファイバ束（すなわち集光レンズ４から配光レンズ８に掛けて延在したファイバ束）に加えてさらに、プロセッサ側の端部近傍において前記のファイバと分岐したファイバ５ａを有している。このファイバ５ａの射出端（前記分岐側の端部と異なった端部）近傍には、当該射出端から射出された光の量を検知するフォトディテクタである光量検知部２１が設置されている。電子内視鏡１が体腔内に挿入されているとき、この射出端から射出される光は、主に観察部位からの反射光である。光量検知部２１は、検知した光量を示す光量検知信号を制御部３２に出力する。これにより、制御部３２は、観察部位からの反射光量を検知することができる。
【００２３】
ＣＣＤ１０によって生成された画像信号は、当該ＣＣＤ１０及びＣＣＤ１０が有する電子シャッタ機能を駆動制御するＣＣＤ駆動回路１８を介してプロセッサ２に入力する。この画像信号は、絶縁回路２３で電気的に絶縁された状態で伝送されて画像信号処理回路２４に入力する。画像信号処理回路２４に入力された画像信号は、所定の信号処理を施され、Ｒ成分、Ｇ成分、Ｂ成分の各色成分の信号に色分離処理されてアンプ２５に出力される。
【００２４】
アンプ２５は、Ｒ成分の信号を増幅するアンプ２５Ｒ、Ｇ成分の信号を増幅するアンプ２５Ｇ、Ｂ成分の信号を増幅するアンプ２５Ｂを有している。画像信号処理回路２４から出力された各色成分の信号は、それぞれ対応するアンプに入力してその強度（信号レベル）が増幅され、メモリ２８に出力される。
【００２５】
メモリ２８は、Ｒ成分の信号を格納するメモリ２８Ｒ、Ｇ成分の信号を格納するメモリ２８Ｇ、Ｂ成分の信号を格納するメモリ２８Ｂを有している。アンプ２５から出力された各色成分の信号は、それぞれ対応するメモリに格納される。そして各メモリに格納された各色成分の信号は、制御部３２の作用により、メモリ２８Ｒ、２８Ｇ、及び２８Ｂの各々から所定のタイミングで同時に読み出しされ、映像信号処理回路３１に出力される。そしてこの映像信号処理回路３１によってモニタ表示可能な映像信号（例えばコンポジットビデオ信号や、Ｓビデオ信号、ＲＧＢビデオ信号など）に変換される。ここで変換された映像信号がモニタ１２に出力されると、モニタ１２の画面内に現在観察中の体腔内の映像が表示される。
【００２６】
なお、本実施形態の内視鏡システム１００を用いて体腔内を観察する場合、ランプ３によって体腔内を照明して当該体腔内を観察する方法以外に、別の光源によって体腔内を観察する方法がある。後者の方法で体腔内を観察する場合、ランプ３を消灯できる為、その期間中ランプ３からの発熱がなくなる。従って、ランプ３の発熱によるプロセッサ２内部の温度上昇が抑えられ、冷却装置を設ける必要性がなくなる。以下に、後者の方法で体腔内を観察する際の各部の構成及び作用について説明する。
【００２７】
上述した別の光源に該当するものとは、蓄光材によって成型された蓄光デバイスを示している。本実施形態では、配光レンズ８及び先端部６の前面部分の枠体である蓄光ガラス板１５が、この蓄光デバイスに該当する。
【００２８】
ここで蓄光デバイスについて説明する。蓄光デバイスとは、一定時間光が照射されることによってその光エネルギーを蓄え、その蓄えられたエネルギーによって一定時間、可視光や赤外線或いは紫外線などの所定の波長の電磁波を放出するものである。また、蓄光デバイスは、電気ケーブルやライトガイドなどの有線方式のエネルギー供給を必要とするものではなく、独立して配置可能なデバイスである。このような蓄光デバイスには、例えば蓄光ガラスなどが知られている。また、このような蓄光デバイスでは、その組成成分を変える事によって任意の波長の電磁波を照射することが可能となっている。なお、本実施形態の各蓄光デバイスは、ランプ３使用時とほぼ同様の照明光で観察部位を照明することを目的として構成されている為、白色光を放射することができる。
【００２９】
蓄光デバイスを用いて体腔内を照明する場合、先ず、当該蓄光デバイスに光エネルギーを蓄積させる必要がある。本実施形態において、蓄光デバイスは、ランプ３から照射された白色光を光エネルギーとして蓄積できる位置に設置されている。この為、ランプ３の白色光が届く箇所に配置された部品であれば、配光レンズ８や蓄光ガラス板１５以外の部品を蓄光デバイスとして成型しても良い。
【００３０】
ランプ３を照射させて観察部位を一定時間照明すると、当該観察部位を照明するのに充分な光エネルギーが前述の蓄光デバイスに蓄積される。一定時間照明後に操作パネル５１に設けられた上記点灯／消灯スイッチを操作して当該ランプ３を消灯させると、蓄積した光エネルギーを蓄光デバイスが白色光として放射している為、ランプ３によって照明されていた観察部位は、今度は蓄光デバイスの白色光によって照明される。この場合における観察部位からの反射光も、上述したランプ３を用いた際の反射光と同様に、ＣＣＤ１０に受光されてプロセッサ２によって処理を施され、映像信号に変換される。そして変換された映像信号がモニタ１２に出力されると、ランプ３を用いて体腔内を照明した場合と同様の映像がモニタ１２に表示される。このような蓄光デバイスの発光時間には、例えば数分から数十分程度が想定される。
【００３１】
なお、本実施形態では従来より設置されていた必要不可欠な部品を蓄光材によって成型して蓄光デバイスとしている為、内視鏡先端部６を大型化させない。
【００３２】
ここで、蓄光デバイスが光エネルギーを蓄積することなく放射しているとき、当該蓄光デバイスからの発光量は、時間の経過と共に徐々に低下していく。この為、術者が気付かない間にモニタ１２に表示されている映像が暗くなり、内視鏡による手技を良好に実施できなくなってしまう可能性がある。本実施形態では、以下に示す処理を実施してこの問題を解決している。
【００３３】
図５は、本実施形態で実施される処理であって、蓄光デバイスの発光量を制御する発光量制御処理を示したフローチャートである。以下に、図５を参照して、本実施形態の発光量制御処理について説明する。
【００３４】
本実施形態の発光量制御処理はランプ３が消灯されているときに開始される。例えばランプ３を点灯させて体腔内を一定時間照明すると共に蓄光デバイスに充分な光エネルギーを蓄積した後に点灯／消灯スイッチを操作して当該ランプ３を消灯したときに、その操作によって制御部３２に入力したオフ信号がトリガー信号となり、本フローチャートの処理が開始される。
【００３５】
例えば上述の操作によって本フローチャートの処理を開始する為のトリガー信号が入力されると、制御部３２は、光量検知部２１から出力された上記光量検知信号を参照して観察部位からの反射光量を検知する（ステップ１、以下、ステップを「Ｓ」と略記）。このとき観察部位は、蓄積された光エネルギーを放射している蓄光デバイスの白色光のみによって照明されている。この為、蓄光デバイスの発光量は、制御部３２が検知する反射光量のみを変数とした関数として表すことができる。すなわち制御部３２は、検知した反射光量によって蓄光デバイスの発光量を知ることができる。
【００３６】
観察部位からの反射光量を検知すると、制御部３２は、その反射光量が所定の閾値より低いか否かを判定する（Ｓ２）。反射光量が所定の閾値以上であると判定した場合（Ｓ２：ＮＯ）、蓄光デバイスの発光量が充分である（すなわち表示される映像の輝度を充分に確保できる）為、制御部３２は、所定のタイミング後に再びＳ１の光量検知処理を実行する。また、反射光量が所定の閾値より低いと判定した場合（Ｓ２：ＹＥＳ）、内視鏡による手技を良好に実施する為に必要な輝度を有した映像が得られない為、制御部３２は、照明光量が不足していることを警告する為の文字情報に対応したキャラクタ信号を、映像信号処理回路３１に出力する（Ｓ３）。このキャラクタ信号は、映像信号処理回路３１が出力する映像信号に重畳される。これにより、体腔内の映像と共に照明光量不足を警告する文字情報がモニタ１２に表示される。
【００３７】
映像信号処理回路３１にキャラクタ信号を送信すると共に、制御部３２は、蓄光デバイスに再び光エネルギーを蓄積させる為に、ランプ３を点灯させる為の制御信号をランプ制御回路２０に送信してランプ３を自動的に再点灯させる（Ｓ４）。以上により本フローチャートの処理は終了する。
【００３８】
上述したように蓄光デバイスの発光量の低下が検知されるとランプ３が自動的に点灯する為、術者は、表示映像の輝度を充分に確保した状態で、内視鏡による手技を良好に実施することができる。
【００３９】
図６は、別の実施形態で実施される処理であって、蓄光デバイス使用時に得られる映像の輝度レベルを制御する輝度レベル制御処理を示したフローチャートである。以下に、図６を参照して、別の実施形態の輝度レベル制御処理について説明する。
【００４０】
例えば、上述した発光量制御処理と同様に、輝度レベル制御処理を開始する為のトリガー信号が入力されると、制御部３２は、上述したＳ１の処理と同様に、光量検知部２１から出力された上記光量検知信号を参照して観察部位からの反射光量を検知する（Ｓ１１）。
【００４１】
そして観察部位からの反射光量を検知すると、制御部３２は、上述したＳ２の処理と同様に、その反射光量が所定の閾値より低いか否かを判定する（Ｓ１２）。反射光量が所定の閾値以上であると判定した場合（Ｓ１２：ＮＯ）、表示映像の輝度を充分に確保できる為、制御部３２は、所定のタイミング後に再びＳ１１の光量検知処理を実行する。また、反射光量が所定の閾値より低いと判定した場合（Ｓ１２：ＹＥＳ）、内視鏡による手技を良好に実施する為に必要な輝度を有した映像が得られない為、制御部３２は、上述したＳ３の処理と同様に、照明光量が不足していることを警告する為の文字情報に対応したキャラクタ信号を映像信号処理回路３１に出力し（Ｓ１３）、体腔内の映像と共に照明光量不足を警告する文字情報をモニタ１２に表示させる。
【００４２】
映像信号処理回路３１にキャラクタ信号を送信すると共に、制御部３２は、内視鏡による手技を良好に実施する為に必要な輝度を有した映像を得る為に、アンプ２５における各色成分の信号に対する増幅率を従前より高い値に設定する（Ｓ１４）。これにより、プロセッサ２において生成される映像信号の輝度レベルが上がる為、手技を良好に実施する為に必要な輝度を有した映像がモニタ１２に表示されるようになる。以上により輝度レベル制御処理は終了する。
【００４３】
別の実施形態の輝度レベル制御処理では、蓄光デバイスの発光量が低下した場合、ランプ３を点灯させず、アンプ２５のゲインをアップさせることによって表示映像の輝度を充分に確保している。この為、上述した発光量制御処理に比べて、ランプ３の発熱によるプロセッサ２内部の温度上昇をさらに抑えることができる。
【００４４】
以上が本発明の実施形態である。本発明はこれらの実施形態に限定されるものではなく様々な範囲で変形が可能である。
【００４５】
なお、上述した実施形態では配光レンズ８並びに蓄光ガラス板１５の全てを蓄光デバイスとしているが、さらに別の実施形態では配光レンズ８或いは蓄光ガラス板１５の少なくとも１つを蓄光デバイスとしても良い。
【図面の簡単な説明】
【００４６】
【図１】本発明の実施形態の内視鏡システムを概略的に示した概略図である。
【図２】本発明の実施形態の内視鏡システムの構成を示したブロック図である。
【図３】本発明の実施形態の電子内視鏡の先端部近傍を拡大して示した拡大図である。
【図４】本発明の実施形態の電子内視鏡の先端部近傍の長手方向に沿った断面であって、図３のＡ−Ａ断面を示した側断面図である。
【図５】本発明の実施形態の蓄光デバイスの発光量を制御する発光量制御処理を示したフローチャートである。
【図６】別の実施形態の蓄光デバイス使用時に得られる映像の輝度レベルを制御する輝度レベル制御処理を示したフローチャートである。
【符号の説明】
【００４７】
１  内視鏡
２  プロセッサ
３  ランプ
５  ライトガイド
６  先端部
７  対物レンズ
８  配光レンズ
１０  ＣＣＤ
１２  モニタ
１５  蓄光ガラス板
２１  光量検知部
２５  アンプ
３２  制御部
１００  内視鏡システム
【図１】
2006014924.tif 000003
【図２】
2006014924.tif 000004
【図３】
2006014924.tif 000005
【図４】
2006014924.tif 000006
【図５】
2006014924.tif 000007
【図６】
2006014924.tif 000008